(57)【要約】【課題】複数の異なる放送方式の放送を複数同時に受信可能な機能を備えたチューナにおいて、複数の異なる放送方式の受信回路相互間で生じる干渉を、抑制することが可能なチューナ置を提供する。【解決手段】複数の異なる放送方式の放送を複数同時に受信可能なチューナ１を、内側の層にシールド層１１を用いた多層基板１０を備えると共に、多層基板１０のシールド層１１を境にして、該多層基板１０の表側の層の基板１２と裏側の層の基板１３とに、異なる放送方式の放送を受信するそれぞれの受信回路を、振り分けて形成する。【選択図】図１
2009111889.tif 000002
【特許請求の範囲】
【請求項１】
複数の異なる放送方式の放送を複数同時に受信可能なチューナであって、
内側の層にシールド層を用いた多層基板を備えると共に、
前記多層基板の前記シールド層を境にして、該多層基板の表側の層の基板と裏側の層の基板とに、異なる放送方式の放送を受信するそれぞれの受信回路が、振り分けて形成されていることを特徴とするチューナ。
【請求項２】
請求項１記載のチューナであって、
前記多層基板を内蔵する金属製のシャーシを備えると共に、
前記多層基板の前記シールド層が、前記シャーシに接続されているチューナ。
【請求項３】
請求項１又は２記載のチューナであって、
複数の異なる前記放送方式は、地上波デジタルテレビ放送、及び、衛星デジタルテレビ放送であり、
地上波デジタルテレビ放送の受信回路と、衛星デジタルテレビ放送の受信回路とが、前記多層基板の表側の層の基板と裏側の層の基板とに、振り分けて形成されているチューナ。
【請求項４】
請求項１又は２記載のチューナであって、
複数の異なる前記放送方式は、地上波アナログテレビ放送、地上波デジタルテレビ放送、及び、衛星デジタルテレビ放送であり、
地上波アナログテレビ放送の受信回路、及び、地上波デジタルテレビ放送の受信回路と、衛星デジタルテレビ放送の受信回路とが、前記多層基板の表側の層の基板と裏側の層の基板とに、振り分けて形成されているチューナ。
【請求項５】
請求項１〜４のいずれか１項に記載のチューナであって、
前記多層基板は、シールド層を内側の層とする３層基板であるチューナ。
【請求項６】
請求項１〜５のいずれか１項に記載のチューナであって、
前記多層基板の端縁に凹部が形成されていると共に、該凹部に、アンテナリセプタクル結合部を備えたチューナ。
【発明の詳細な説明】
【技術分野】
【０００１】
本発明は、地上波アナログ放送、地上波デジタル放送や、衛星デジタル放送等のような複数の異なる放送方式の放送を、複数同時に受信可能なチューナに関する。
【背景技術】
【０００２】
今日、ラジオやテレビ等の放送は、日常生活における情報源として、必要不可欠な存在となっている。そのため、このようなラジオやテレビ等の放送を受信するチューナは、これらの放送の受信を本来の機能とするラジオ受信機やテレビ受信機等のほか、電子辞書や携帯電話機等にも使用されている。そのため、これらの放送を受信するチューナの小型化の要請は、以前に比べてはるかに増大している。
【０００３】
一方、一般に、ラジオやテレビ等の放送に用いられる高周波を受信する回路は、ノイズに対する影響を抑制する必要がある。このチューナに対するノイズ対策は、チューナの小型化に伴って、従来以上に重要になっている。そのため、このノイズ対策を行うための種々の提案がなされている（例えば、特許文献１参照）。
【０００４】
特許文献１は、高周波シールド構造を有する多層配線基板に関するもので、多層配線基板の内側に回路部分を設け、その表側と裏側にそれぞれシールド層を備えた基板を設けたものである。この高周波シールド構造を有する多層配線基板では、多層配線基板の表側と裏側に設けられたシールド層により、ノイズ対策を行っている。
【特許文献１】実開平５−５３２６９号公報
【発明の開示】
【発明が解決しようとする課題】
【０００５】
ところで、今日、放送の種類は、以前のアナログ放送のみから、現在では、衛星放送やデジタル放送等、その種類が大幅に増加している。そのため、これらの多くの種類の放送を同時に受信することができるチューナが求められている。
【０００６】
例えば、テレビ放送の場合、現在では、地上波アナログ放送、地上波デジタル放送、及び、衛星デジタル放送が行われており、これら複数の異なる放送方式の放送を複数同時に受信可能なチューナが、求められている。
【０００７】
そこで、上述したチューナに対する小型化の要求と、複数の異なる放送方式の放送を複数同時に受信可能な機能の要求とをかなえるために、小さいスペースに多くの受信回路を収容する必要が出てくる。具体的には、小さい基板に多くの受信回路を形成することが要求される。
【０００８】
しかしながら、小さい基板に多くの受信回路を形成すると、複数の異なる放送方式の受信回路間で、相互に干渉するという問題が生じてくる。この問題は、特に、複数の異なる放送方式の放送を複数同時に受信した場合に顕著である。
【０００９】
しかし、この干渉を抑制するために、上述した特許文献１に記載の方法を用いたとしても、この方法では、複数の異なる放送方式の受信回路が、表裏にシールド層を備えた多層配線基板の内側に設けられるだけのことであり、複数の異なる放送方式の受信回路相互間の干渉抑制には、効果を期待することがほとんどできない。
【００１０】
そこで、この発明は、このような状況を改善するためになされたものであって、複数の異なる放送方式の放送を複数同時に受信可能な機能を備えたチューナにおいて、複数の異なる放送方式の受信回路相互間で生じる干渉を、抑制することが可能なチューナを提供しようとするものである。
【課題を解決するための手段】
【００１１】
本発明のチューナは、上述したように、複数の異なる放送方式の放送を複数同時に受信可能なチューナである。このチューナでは、内側の層にシールド層を用いた多層基板を備えると共に、多層基板のシールド層を境にして、該多層基板の表側の層の基板と裏側の層の基板とに、異なる放送方式の放送を受信するそれぞれの受信回路が、振り分けて形成されていることを特徴としている。
【００１２】
上記のチューナでは、内側の層にシールド層を用いた多層基板を備えると共に、多層基板の内側の層のシールド層を境にして、該多層基板の表側の層の基板と裏側の層の基板とに、異なる放送方式の放送を受信するそれぞれの受信回路が、振り分けて形成される。
【００１３】
そのため、異なる放送方式の放送を受信するそれぞれの受信回路を、多層基板の内側の層として設けられたシールド層により、隔離することができる。従って、複数の異なる放送方式の放送を複数同時に受信可能な機能を備えたチューナにおいて、特に、複数の異なる放送方式の放送を複数同時に受信時に、複数の異なる放送方式の受信回路相互間で生じる干渉を、抑制することができる。
【００１４】
上記のチューナにおいて、多層基板を内蔵する金属製のシャーシを備えると共に、多層基板のシールド層を、このシャーシに接続するようにするのが好適である。このようにすることにより、チューナから発生するノイズが外部に出るのを抑制したり、外部からチューナへ浸入するノイズを抑制したりすることができる。
【００１５】
又、上記のチューナにおいて、次のようにするのが実用的である。即ち、複数の異なる放送方式を、地上波デジタルテレビ放送、及び、衛星デジタルテレビ放送とする。そして、地上波デジタルテレビ放送の受信回路と、衛星デジタルテレビ放送の受信回路とを、多層基板の表側の層の基板と裏側の層の基板とに、振り分けて形成する。
【００１６】
或いは、複数の異なる放送方式を、地上波アナログテレビ放送、地上波デジタルテレビ放送、及び、衛星デジタルテレビ放送とする。そして、地上波アナログテレビ放送の受信回路、及び、地上波デジタルテレビ放送の受信回路と、衛星デジタルテレビ放送の受信回路とを、多層基板の表側の層の基板と裏側の層の基板とに、振り分けて形成するのである。
【００１７】
又、上記のチューナにおいて、多層基板を、シールド層を内側の層とする３層基板とするのがコスト上、メリットがある。又、多層基板の端縁に凹部を形成すると共に、該凹部に、アンテナリセプタクル結合部を備えるのが、チューナの構造をシンプルにする上で望ましい。
【発明の効果】
【００１８】
本発明のチューナによれば、内側の層にシールド層を用いた多層基板を備えると共に、多層基板の内側の層のシールド層を境にして、該多層基板の表側の層の基板と裏側の層の基板とに、異なる放送方式の放送を受信するそれぞれの受信回路が、振り分けて形成される。そのため、異なる放送方式の放送を受信するそれぞれの受信回路を、多層基板の内側の層として設けられたシールド層により、隔離することができる。従って、複数の異なる放送方式の放送を複数同時に受信可能な機能を備えたチューナにおいて、特に、複数の異なる放送方式の放送を複数同時に受信時に、複数の異なる放送方式の受信回路相互間で生じる干渉を、抑制することができる。
【発明を実施するための最良の形態】
【００１９】
次に、本発明の実施の形態におけるチューナについて、図面を参照しながら説明する。
【００２０】
＜実施の形態１＞
図１は、実施の形態１におけるチューナ１の外観図、図２は、その正面図、図３はその側面図である。又、図４は、実施の形態１におけるチューナ１に内蔵される３層基板１０の外観図、図５は、その正面図、図６はその側面図である。
【００２１】
実施の形態１におけるチューナ１は、テレビ放送受信用のチューナであり、受信するテレビ放送の放送方式としては、地上波デジタルテレビ放送と、衛星デジタルテレビ放送とである。
【００２２】
このチューナ１は、金属製で直方体状のシャーシ２の内部に、３層基板１０を内蔵して構成される。この３層基板１０は、金属製の板で形成されたシールド層の基板１１の表裏に、地上波デジタルテレビ放送の受信回路が形成された表側の層の基板１２と、衛星デジタルテレビ放送の受信回路が形成された裏側の層の基板１３とを重ねて構成される。又、３層基板１０のシールド層の基板１１は、図示されていない配線で、シャーシ２と接続されている。
【００２３】
又、３層基板１０の端縁１０ａには、凹部１４が形成されており、この凹部１４には、アンテナリセプタクル結合部４が設けられる。このアンテナリセプタクル結合部４には、２個のアンテナリセプタクル３，３が取付けられる。このアンテナリセプタクル３，３は、シャーシ２の前面に設けられた貫通孔を通って、シャーシ２の前方に突出している。
【００２４】
又、このアンテナリセプタクル３，３は、一種のコネクタであり、このアンテナリセプタクル３，３には、チューナ１が組込まれる電子装置等が備える配線に接続されたアンテナコネクタ等が接続されると共に、このアンテナコネクタ等に接続される同軸ケーブル等の配線が、最終的には、アンテナに接続される。
【００２５】
又、この２個のアンテナリセプタクル３，３は、上から順に、地上波デジタルテレビ放送用と、衛星デジタルテレビ放送用であり、それぞれ、３層基板１０の表側の層の基板１２に形成される地上波デジタルテレビ放送の受信回路、及び、裏側の層の基板１３に形成される衛星デジタルテレビ放送の受信回路に、接続される。
【００２６】
上記の３層基板１０の表側の層の基板１２に形成される地上波デジタルテレビ放送の受信回路、及び、裏側の層の基板１３に形成される衛星デジタルテレビ放送の受信回路における受信回路は、ＲＦ同調回路部や受信復調回路部等で構成される。これらの受信回路には、入出力端子１５が備えられている。
【００２７】
この入出力端子１５は、表側の層の基板１２、及び、裏側の層の基板１３の下端付近から下方に向かって取付けられており、入出力端子１５の先端部分は、シャーシ２の底部に設けられた貫通孔を通って、シャーシ２の下方に突出している。
【００２８】
この入出力端子１５は、このチューナ１が組込まれる電子装置等との間に、テレビ放送のチャンネルを指定する等の、電子装置等がチューナ１に対して行う制御用の信号や、指定されたチャンネルの復調信号等の入出力を行うのに用いられる。
【００２９】
上記の実施の形態１におけるチューナ１では、内側にシールド層の基板１１を用いた３層基板１０を備えると共に、この３層基板１０の内側のシールド層を境にして、該３層基板１０の表側の層の基板１２と裏側の層の基板１３とに、異なる放送方式の放送を受信する受信回路である、地上波デジタルテレビ放送用の受信回路と、衛星デジタルテレビ放送用の受信回路とが、振り分けて形成されている。
【００３０】
そのため、異なる放送方式の放送を受信する受信回路である、地上波デジタルテレビ放送用の受信回路と、衛星デジタルテレビ放送用の受信回路とを、３層基板１０の内側の層として設けられたシールド層の基板１１により、隔離することができる。従って、異なる放送方式の放送である地上波デジタルテレビ放送と衛星デジタルテレビ放送を、同時に受信可能な機能を備えたチューナにおいて、地上波デジタルテレビ放送と衛星デジタルテレビ放送の相互間で生じる干渉を、抑制することができる。
【００３１】
又、上記の実施の形態１におけるチューナ１では、３層基板１０を内蔵する金属製のシャーシ２を備えると共に、３層基板のシールド層の基板１１を、このシャーシ２に接続しているので、チューナ１から発生するノイズが外部に出るのを抑制したり、外部からチューナ１へ浸入するノイズを抑制したりすることができる。
【００３２】
又、上記の実施の形態１におけるチューナ１では、３層基板１０の端縁１０ａに凹部１４を形成すると共に、該凹部１４に、アンテナリセプタクル結合部４を備えて、チューナ１を形成している。これにより、チューナ１の構造をシンプルにすることができる。
【００３３】
上記の実施の形態１におけるチューナ１では、多層基板として３層基板１０を用いているが、多層基板としては、３層基板には限られず、３層以上の層を有する多層基板を用いるようにしてもよい。
【００３４】
又、上記の実施の形態１におけるチューナ１では、複数の異なる放送方式として、地上波デジタルテレビ放送と、衛星デジタルテレビ放送とを採用しているが、これには限られず、例えば、複数の異なる放送方式として、地上波アナログテレビ放送、地上波デジタルテレビ放送、及び、衛星デジタルテレビ放送を採用するようにしてもよい。
【００３５】
この場合は、地上波アナログテレビ放送の受信回路、及び、地上波デジタルテレビ放送の受信回路と、衛星デジタルテレビ放送の受信回路とを、３層基板１０の表側の層の基板１２と裏側の層の基板１３とに、振り分けて形成するのが好適である。
【００３６】
又、この場合は、２個のアンテナリセプタクル３，３の内、上のアンテナリセプタクル３を、地上波アナログテレビ放送用、及び、地上波デジタルテレビ放送用として用いると共に、下のアンテナリセプタクル３を衛星デジタルテレビ放送用として用いる。この場合、アンテナリセプタクル結合部４の内部に、地上波アナログテレビ放送と、地上波デジタルテレビ放送との分波を行う分波器を備える必要がある。
【００３７】
＜実施の形態２＞
図７は、実施の形態２におけるチューナ１の外観図、図８は、その正面図、図９はその側面図である。又、図１０は、実施の形態２におけるチューナ１に内蔵される３層基板１０の外観図、図１１は、その正面図、図１２はその側面図である。
【００３８】
実施の形態２におけるチューナ１は、実施の形態２におけるチューナ１とほとんど同じである。従って、実施の形態２におけるチューナ１実施の形態１におけるチューナ１の作用、効果と同様の作用、効果を有する。
【００３９】
実施の形態２におけるチューナ１が、実施の形態１におけるチューナ１と異なるのは、実施の形態１におけるチューナ１では、アンテナリセプタクル結合部４には、２個のアンテナリセプタクル３，３が取付けられているのに対して、実施の形態２におけるチューナ１では、アンテナリセプタクル結合部４には、１個のアンテナリセプタクル３しか取付けられていない点である。
【００４０】
この実施の形態２では、実施の形態１と同様、複数の異なる放送方式として、地上波デジタルテレビ放送と、衛星デジタルテレビ放送とを採用することができ、この場合は、３層基板１０の内側のシールド層を境にして、該３層基板１０の表側の層の基板１２と裏側の層の基板１３とに、地上波デジタルテレビ放送用の受信回路と、衛星デジタルテレビ放送用の受信回路とを、振り分けて形成する。そして、アンテナリセプタクル結合部４の内部に、地上波デジタルテレビ放送と、衛星デジタルテレビ放送との分波を行う分波器を備える。
【００４１】
又、実施の形態１と同様、複数の異なる放送方式として、地上波アナログテレビ放送、地上波デジタルテレビ放送、及び、衛星デジタルテレビ放送を採用することができ、この場合は、地上波アナログテレビ放送の受信回路、及び、地上波デジタルテレビ放送の受信回路と、衛星デジタルテレビ放送の受信回路とを、３層基板１０の表側の層の基板１２と裏側の層の基板１３とに、振り分けて形成する。そして、アンテナリセプタクル結合部４の内部に、地上波アナログテレビ放送、地上波デジタルテレビ放送、及び、衛星デジタルテレビ放送の３電波を分波する分波器を備える。
【００４２】
上記の各実施の形態では、アンテナリセプタクル結合部４に取付けるアンテナリセプタクル３は、１個、又は、２個であるが、複数の異なる放送方式として、地上波アナログテレビ放送、地上波デジタルテレビ放送、及び、衛星デジタルテレビ放送を採用する場合に、アンテナリセプタクル結合部４に取付けるアンテナリセプタクル３の個数を、３個とすることができる。この場合は、それぞれのアンテナリセプタクル３を、独立して、地上波アナログテレビ放送用、地上波デジタルテレビ放送用、及び、衛星デジタルテレビ放送用に用いることができる。
【図面の簡単な説明】
【００４３】
【図１】実施の形態１におけるチューナの外観図である。
【図２】実施の形態１におけるチューナの正面図である。
【図３】実施の形態１におけるチューナの側面図である。
【図４】実施の形態１におけるチューナに使用される３層基板の外観図である。
【図５】実施の形態１におけるチューナに使用される３層基板の正面図である。
【図６】実施の形態１におけるチューナに使用される３層基板の側面図である。
【図７】実施の形態２におけるチューナの外観図である。
【図８】実施の形態２におけるチューナの正面図である。
【図９】実施の形態２におけるチューナの側面図である。
【図１０】実施の形態２におけるチューナに使用される３層基板の外観図である。
【図１１】実施の形態２におけるチューナに使用される３層基板の正面図である。
【図１２】実施の形態２におけるチューナに使用される３層基板の側面図である。
【符号の説明】
【００４４】
１  チューナ
２  シャーシ
３  アンテナリセプタクル
４  アンテナリセプタクル結合部
１０  ３層基板
１０ａ  端縁
１１  シールド層の基板
１２  表側の層の基板
１３  裏側の層の基板
１４  凹部
１５  入出力端子
【図１】
2009111889.tif 000003
【図２】
2009111889.tif 000004
【図３】
2009111889.tif 000005
【図４】
2009111889.tif 000006
【図５】
2009111889.tif 000007
【図６】
2009111889.tif 000008
【図７】
2009111889.tif 000009
【図８】
2009111889.tif 000010
【図９】
2009111889.tif 000011
【図１０】
2009111889.tif 000012
【図１１】
2009111889.tif 000013
【図１２】
2009111889.tif 000014